(57)【要約】【課題】利用頻度の低い機能設定をユーザに気づかせることにより、携帯端末の有用性の向上を図ることができる推奨情報通知システムを提供する。【解決手段】この推奨情報通知システムを構成する携帯端末１では、複数の機能設定を選択可能な機能を搭載する携帯端末１において、機能設定の利用頻度情報を生成し、各機能設定の中から利用頻度が低い機能設定を推奨する推奨情報を表示部１０７に表示させるようになっている。これにより、ユーザが携帯端末１の機能のうち、ある特定の機能設定しか利用していない場合に、利用頻度が低い機能設定の存在をユーザに気づかせることが可能となるので、携帯端末１の機能が活かされる機会が増加し、携帯端末１の有用性の向上を図ることができる。【選択図】図１
2010239368.tif 000002
【特許請求の範囲】
【請求項１】
複数の機能設定を選択可能な機能を搭載する携帯端末に対し、前記機能設定の中から推奨する機能設定を通知する推奨情報通知システムであって、
前記携帯端末における前記各機能設定の利用頻度を示す利用頻度情報を前記機能の実行毎に生成する利用頻度情報生成手段と、
前記利用頻度情報に基づいて前記各機能設定の中から利用頻度が低い機能設定を推奨する推奨情報を生成する推奨情報生成手段と、
前記推奨情報を表示手段に表示させる表示制御手段と、を備えたことを特徴とする推奨情報通知システム。
【請求項２】
前記利用頻度情報に基づいて前記各機能設定の利用頻度差を判断する利用頻度差判断手段を更に備え、
前記推奨情報生成手段は、前記利用頻度差が予め設定された閾値を超えた場合に前記推奨情報を生成することを特徴とする請求項１記載の推奨情報通知システム。
【請求項３】
前記利用頻度情報を複数の携帯端末から受信する利用頻度情報受信手段と、
前記利用頻度情報受信手段によって受信された前記利用頻度情報に基づいて前記各機能設定の中から前記複数の携帯端末の間で流行している流行機能設定を決定する流行機能設定決定手段と、
前記流行機能設定に決定された機能設定の利用頻度と他の機能設定の利用頻度とを比較する利用頻度比較手段と、を更に備え、
前記推奨情報生成手段は、前記流行機能設定に決定された機能設定の利用頻度が他の機能設定の利用頻度よりも低い場合に、前記流行機能設定に決定された機能設定を推奨する推奨情報を生成する請求項１記載の推奨情報通知システム。
【発明の詳細な説明】
【技術分野】
【０００１】
本発明は、推奨情報通知システムに関する。
【背景技術】
【０００２】
近年、携帯端末には、一般的な通話機能のほか、メール送受信機能や撮像機能といった各種の機能が搭載され、高機能化が著しく進んでいる。このような高機能携帯端末の利便性を向上させる技術として、例えば特許文献１に記載の移動通信端末がある。この従来の移動通信端末では、機能の利用履歴に基づいて利用頻度の高い機能を抽出し、抽出された機能を起動させるためのアイコンをメニュー画面に優先的に表示するようになっている。
【先行技術文献】
【特許文献】
【０００３】
【特許文献１】特開２００８−１１８３４６号公報
【発明の概要】
【発明が解決しようとする課題】
【０００４】
上述した携帯端末では、一つの機能の中にも様々な機能設定が用意されていることが多い。例えばメール送受信機能においては、通常のテキストメールの送受信を行う設定や、画像等を組み合わせたデコレーションメールの送受信を行う設定が用意されており、撮像機能においては、静止画・動画の設定や解像度の設定などが用意されている。携帯端末に多くの機能が搭載されるほど機能設定の種類も多岐にわたるので、一般のユーザが有用な機能設定に気がつかず、携帯端末の機能を活かしきれない場合が想定される、
【０００５】
このような問題に対し、上述した従来の技術では、利用頻度の高い機能を抽出してメニュー画面をカスタマイズしている。そのため、ユーザの利便性の向上には寄与するものの、利用頻度の低い機能設定をユーザに気づかせるという観点から見れば逆効果となる。
【０００６】
本発明は、上記課題の解決のためになされたものであり、利用頻度の低い機能設定をユーザに気づかせることにより、携帯端末の有用性の向上を図ることができる推奨情報通知システムを提供することを目的とする。
【課題を解決するための手段】
【０００７】
上記課題の解決のため、本発明に係る推奨情報通知システムは、複数の機能設定を選択可能な機能を搭載する携帯端末に対し、機能設定の中から推奨する機能設定を通知する推奨情報通知システムであって、携帯端末における各機能設定の利用頻度を示す利用頻度情報を機能の実行毎に生成する利用頻度情報生成手段と、利用頻度情報に基づいて各機能設定の中から利用頻度が低い機能設定を推奨する推奨情報を生成する推奨情報生成手段と、推奨情報を表示手段に表示させる表示制御手段と、を備えたことを特徴としている。
【０００８】
この推奨情報通知システムでは、複数の機能設定を選択可能な機能を搭載する携帯端末において、機能設定の利用頻度情報を生成し、各機能設定の中から利用頻度が低い機能設定を推奨する推奨情報を表示手段に表示させるようになっている。これにより、ユーザが携帯端末の機能のうち、ある特定の機能設定しか利用していない場合に、利用頻度が低い機能設定の存在をユーザに気づかせることが可能となるので、携帯端末の機能が活かされる機会が増加し、携帯端末の有用性の向上を図ることができる。
【０００９】
また、利用頻度情報に基づいて各機能設定の利用頻度差を判断する利用頻度差判断手段を更に備え、推奨情報生成手段は、利用頻度差が予め設定された閾値を超えた場合に推奨情報を生成することが好ましい。この場合、各機能設定の利用頻度のバランスが維持されるように推奨情報が生成されるので、携帯端末の機能が活かされる機会の一層の増加が図られる。
【００１０】
また、利用頻度情報を複数の携帯端末から受信する利用頻度情報受信手段と、利用頻度情報受信手段によって受信された利用頻度情報に基づいて各機能設定の中から複数の携帯端末の間で流行している流行機能設定を決定する流行機能設定決定手段と、流行機能設定に決定された機能設定の利用頻度と他の機能設定の利用頻度とを比較する利用頻度比較手段と、を更に備え、推奨情報生成手段は、流行機能設定に決定された機能設定の利用頻度が他の機能設定の利用頻度よりも低い場合に、流行機能設定に決定された機能設定を推奨する推奨情報を生成することが好ましい。この場合、複数のユーザの間で頻繁に利用されている機能設定の存在をユーザに気づかせることが可能となるので、携帯端末の有用性の更なる向上を図ることができる。
【発明の効果】
【００１１】
本発明によれば、利用頻度の低い機能設定をユーザに気づかせることにより、携帯端末の有用性の向上を図ることができる。
【図面の簡単な説明】
【００１２】
【図１】本発明の第１実施形態に係る推奨情報通知システムを構成する携帯端末の機能的な構成要素を示すブロック図である。
【図２】利用頻度情報の一例を示す図である。
【図３】推奨情報の表示の一例を示す図である。
【図４】利用頻度情報の生成処理のフローチャートである。
【図５】推奨情報の表示処理のフローチャートである。
【図６】本発明の第２実施形態に係る推奨情報通知システムの機能的な構成要素を示すブロック図である。
【図７】利用頻度情報の一例を示す図である。
【図８】図６に示した推奨情報通知システムの動作を示すシーケンス図である。
【発明を実施するための形態】
【００１３】
以下、図面を参照しながら、本発明に係る推奨情報通知システムの好適な実施形態について詳細に説明する。
【００１４】
［第１実施形態］
図１は、本発明の第１実施形態に係る推奨情報通知システムを構成する携帯端末の機能的な構成要素を示すブロック図である。図１に示す携帯端末１は、物理的には、ＣＰＵ、メモリ、通信インタフェイス、ハードディスクといった格納部等を備えた携帯電話機である。携帯端末１には、一般的な音声通話機能のほか、メール送受信機能や撮像機能といった各種の機能が搭載されている。これらの各機能においては、複数の機能設定をユーザ側で選択可能となっており、携帯端末１は、機能設定の利用頻度に応じた推奨情報をユーザ側に通知するようになっている。以下、撮像機能を一例として推奨情報を通知する構成について説明する。
【００１５】
携帯端末１は、図１に示すように、ユーザへの推奨情報の通知を実現するための機能的な構成要素として、撮像部１０１と、利用頻度情報生成部１０２と、利用頻度情報格納部１０３と、利用頻度差判断部１０４と、推奨情報生成部１０５と、表示制御部１０６と、表示部１０７とを備えている。
【００１６】
撮像部１０１は、例えば携帯端末１の筐体に設置されたカメラで撮影された画像を画像データとして取得する部分である。撮像部１０１は、取得した画像データを所定のデータ格納部に格納する。また、撮像部１０１では、画像データを取得するための複数の機能設定が用意されている。撮像部１０１の機能設定としては、例えば動画撮影・静止画撮影の切り替えや解像度の設定などが挙げられる。
【００１７】
利用頻度情報生成部１０２は、各機能設定の利用頻度を示す利用頻度情報を機能の実行毎に生成する部分である。より具体的には、利用頻度情報生成部１０２は、ユーザによる所定の操作によって撮像部１０１が画像の撮影を実行する毎に利用頻度情報を生成し、利用頻度情報格納部１０３に格納する。ここで、図２は、利用頻度情報格納部１０３に格納される利用頻度情報の一例を示す図である。
【００１８】
図２に示す例では、利用頻度情報の項目として、携帯端末１の「端末ＩＤ」、「機能設定ＩＤ」、「機能分類（大・中・小）」、「累積利用回数」、及び「最終利用年月日」が設けられている。「端末ＩＤ」は、例えば携帯端末１を特定する情報であり「Ｆ−０１Ａ」となっている。また、「機能設定ＩＤ」は、機能設定を特定する情報である。「機能設定ＩＤ：０１−００１」には、機能設定として「静止画撮影、解像度４８０×８５４」が対応付けられ、「累計利用回数」が「１５」、「最終利用年月日」が「２００９／０１／２３」となっている。
【００１９】
また、「機能設定ＩＤ：０１−００２」には、機能設定として「静止画撮影、解像度１２００×１６００」が対応付けられ、「累計利用回数」が「１０」、「最終利用年月日」が「２００８／１２／０１」となっている。「機能設定ＩＤ：０１−００３」には、機能設定「静止画撮影、解像度１９４４×２５９２」が対応付けられ、「累計利用回数」が「０」であるので、「最終利用年月日」が未入力となっている。
【００２０】
利用頻度差判断部１０４は、利用頻度情報に基づいて各機能設定の利用頻度差を判断する部分である。利用頻度差判断部１０４は、利用頻度情報格納部１０３に格納されている利用頻度情報を参照し、最も利用頻度が高い機能設定の累積利用回数と、その他の機能設定の累積利用回数との差を算出する。図２に示した例では、「解像度：４８０×８５４」が最も累積利用回数が多く、「解像度：１２００×１６００」との利用頻度差は「５」、「解像度：１９４４×２５９２」との利用頻度差は「１５」となっている。利用頻度差判断部１０４は、算出した利用頻度差を示す利用頻度差情報を生成し、推奨情報生成部１０５に出力する。
【００２１】
推奨情報生成部１０５は、利用頻度情報に基づいて各機能設定の中から利用頻度が低い機能設定を推奨する推奨情報を生成する部分である。より具体的には、推奨情報生成部１０５は、利用頻度差判断部１０４から受け取った利用頻度差情報を参照し、利用頻度差が予め設定された閾値を超えた場合に推奨情報を生成する。図２に示した例において、本実施形態における利用頻度差の閾値を例えば「１０」とすれば、利用頻度差が「１５」である「解像度：１９４４×２５９２」が推奨される機能設定として抽出される。推奨情報生成部１０５は、「解像度：１９４４×２５９２」を推奨する旨の推奨情報を生成して表示制御部１０６に出力する。
【００２２】
表示制御部１０６は、推奨情報生成部１０５から受け取った推奨情報を表示部１０７に表示させる部分である。図３は、表示部１０７に表示される推奨情報の一例を示す図である。図３（ａ）に示す例では、まず、待受画面の中央部分に「カメラ機能のお役立ち情報です」というメッセージが表示される。続いて、図３（ｂ）に示すように、「ご利用の端末には、高性能のカメラが搭載されています。いつもご利用の待受画面サイズだけでなく、５００万画素の性能を活かした高い解像度で撮影することが可能です」というメッセージと共に、推奨解像度「１９４４×２５９２」と、「ＯＫボタン」及び「設定変更ボタン」とが表示される。「設定変更ボタン」が選択されると、解像度が「１９４４×２５９２」に変更される。
【００２３】
続いて、図４及び図５に示すフローチャートを参照しながら、上述した携帯端末１の動作について説明する。
【００２４】
まず、図４に示すように、利用頻度情報の生成処理が行われる。始めに、携帯端末１において機能の実行がなされる（ステップＳ０１）。本実施形態では、撮像部１０１による画像データの取得がこれに相当する。機能の実行がなされると、機能実行時に用いられた機能設定がカウントされ、利用頻度情報が生成される（ステップＳ０２）。その後、生成された利用頻度情報の格納が行われる（ステップＳ０３）。
【００２５】
次に、図５に示すように、推奨情報の生成処理が行われる。この処理は、例えば予め設定されたサイクル（月１回など）で定期的に行われる。まず、利用頻度情報格納部１０３に格納されている利用頻度情報が読み出され（ステップＳ１１）、各機能設定の利用頻度差の判断が行われる（ステップＳ１２）。ここで、利用頻度差が予め設定された閾値を超えたか否かが判断され（ステップＳ１３）、利用頻度差が予め設定された閾値未満であると判断された場合は、推奨情報の生成はなされずに処理が終了する。一方、利用頻度差が予め設定された閾値を超えていると判断された場合には、利用頻度が低い機能設定を推奨する旨の推奨情報が生成され（ステップＳ１４）、表示部１０７への推奨情報の表示が行われる（ステップＳ１５）。
【００２６】
以上説明したように、携帯端末１では、複数の機能設定を選択可能な機能を搭載する携帯端末１において、機能設定の利用頻度情報を生成し、各機能設定の中から利用頻度が低い機能設定を推奨する推奨情報を表示部１０７に表示させるようになっている。これにより、ユーザが携帯端末１の機能のうち、ある特定の機能設定しか利用していない場合に、利用頻度が低い機能設定の存在をユーザに気づかせることが可能となるので、携帯端末１の機能が活かされる機会が増加し、携帯端末１の有用性の向上を図ることができる。
【００２７】
また、携帯端末１では、利用頻度情報に基づいて各機能設定の利用頻度差を判断しており、この利用頻度差が予め設定された閾値を超えた場合に推奨情報を生成している。このため、各機能設定の利用頻度のバランスが維持されるように推奨情報が生成されるので、携帯端末１の機能が活かされる機会の一層の増加が図られる。推奨情報の通知にあたっては、ユーザによる特定の操作を必要としていないので、ユーザに操作負担がかかることもない。
【００２８】
［第２実施形態］
次に、本発明の第２実施形態について説明する。図６は、本発明の第１実施形態に係る推奨情報通知システムの機能的な構成要素を示すブロック図である。
【００２９】
図６に示すように、推奨情報通知システム２は、複数の携帯端末２１（２１Ａ，２１Ｂ，２１Ｃ…）と、情報処理サーバ３１とによって構成されている。携帯端末２１は、第１実施形態と同様に、物理的には、ＣＰＵ、メモリ、通信インタフェイス、ハードディスクといった格納部等を備えた携帯電話機である。携帯端末２１には、一般的な音声通話機能のほか、メール送受信機能や撮像機能といった各種の機能が搭載されている。
【００３０】
また、情報処理サーバ３１は、物理的には、ＣＰＵ、メモリ、通信インタフェイス、ハードディスクといった格納部、ディスプレイといった表示部等を備えたコンピュータシステムである。携帯端末２１と情報処理サーバ３１とは、ネットワークＮを介して相互に情報通信可能に接続されている。以下、携帯端末２１及び情報処理サーバ３１の各構成要素について詳細に説明する。
【００３１】
携帯端末２１は、図６に示すように、機能的な構成要素として、撮像部２０１と、利用頻度情報生成部２０２と、利用頻度情報送信部２０３と、推奨情報受信部２０４と、表示制御部２０５と、表示部２０６とを備えている。なお、複数の携帯端末２１Ａ，２１Ｂ，２１Ｃ…について、いずれも同様の構成となっている。
【００３２】
撮像部２０１及び利用頻度情報生成部２０２については、第１実施形態と同様である。利用頻度情報生成部２０２は、生成した利用頻度情報を利用頻度情報送信部２０３に出力する。利用頻度情報送信部２０３は、利用頻度情報生成部２０２から受け取った利用頻度情報を、携帯端末２１の端末ＩＤと共に情報処理サーバ３１に送信する。なお、利用頻度情報及び端末ＩＤの送信は、携帯端末２１の機能の実行毎に行ってもよく、予め設定されたサイクル（月１回など）で行うようにしてもよい。
【００３３】
推奨情報受信部２０４は、利用頻度情報の送信に応じて情報処理サーバ３１から送信される推奨情報を受信する部分である。推奨情報受信部２０４は、受信した推奨情報を表示制御部２０５に出力する。表示制御部２０５は、表示制御部２０５は、推奨情報受信部２０４から受け取った推奨情報を表示部２０６に表示させる部分である。表示制御部２０５は、図３に示した場合と同様に、受け取った推奨情報を表示部２０６に表示させる。
【００３４】
一方、情報処理サーバ３１は、機能的な構成要素として、利用頻度情報受信部３０１と、利用頻度情報格納部３０２と、流行機能設定決定部３０３と、利用頻度比較部３０４と、推奨情報生成部３０５と、推奨情報送信部３０６とを備えている。
【００３５】
利用頻度情報受信部３０１は、複数の携帯端末２１から端末ＩＤ及び利用頻度情報を受信する部分である。利用頻度情報受信部３０１は、受け取った利用頻度情報を利用頻度情報格納部３０２に格納する。また、利用頻度情報受信部３０１は、端末ＩＤ及び利用頻度情報を利用頻度比較部３０４に出力すると共に、流行機能設定決定部３０３に処理の開始を指示する指示情報を出力する。
【００３６】
利用頻度情報格納部３０２は、利用頻度情報受信部３０１から出力される利用頻度情報を格納する部分である。図７は、利用頻度情報格納部３０２に格納される利用頻度情報の一例を示す図である。図７に示す例では、利用頻度情報の項目として、携帯端末２１の「端末ＩＤ」、「機能設定ＩＤ」、「機能分類（大・中・小）」のほか、利用頻度情報に含まれる累積利用回数を加算して得られる「総利用回数」、累計利用回数の加算回数に一致する「利用ユーザ数」が設けられている。
【００３７】
流行機能設定決定部３０３は、利用頻度情報受信部３０１によって受信された利用頻度情報に基づいて各機能設定の中から複数の携帯端末２１の間で流行している流行機能設定を決定する部分である。より具体的には、流行機能設定決定部３０３は、利用頻度情報受信部３０１から指示情報を受け取ると、利用頻度情報格納部３０２に格納されている利用頻度情報を参照し、利用頻度の高い機能設定を流行機能設定として抽出する。流行機能設定決定部３０３は、抽出した流行機能設定を示す抽出情報を利用頻度比較部３０４に出力する。
【００３８】
流行機能設定の抽出方法は、例えば「総利用回数」が最も多い機能設定を抽出してもよいし、「総利用回数」を「利用ユーザ数」で除算した値が最も多い機能設定を抽出してもよい。図７に示した例では、「解像度：１９４４×２５９２」が「総利用回数１００００回」で最も多く、「総利用回数」を「利用ユーザ数」で除算した値も「２０」で最も多くなる。したがって、「解像度：１９４４×２５９２」が流行機能設定として抽出される。
【００３９】
利用頻度比較部３０４は、流行機能設定に決定された機能設定の利用頻度と他の機能設定の利用頻度とを比較する部分である。より具体的には、利用頻度比較部３０４は、流行機能設定決定部３０３から端末ＩＤ及び抽出情報を受け取ると、利用頻度情報受信部３０１から受け取った利用頻度情報を参照し、流行機能設定に決定された機能設定の累積利用回数と、その他の機能設定の累積利用回数との差を算出する。利用頻度比較部３０４は、算出した利用頻度差を示す利用頻度差情報を生成し、推奨情報生成部３０５に出力する。
【００４０】
推奨情報生成部３０５は、利用頻度情報に基づいて各機能設定の中から利用頻度が低い機能設定を推奨する推奨情報を生成する部分である。推奨情報生成部３０５は、利用頻度比較部３０４から受け取った利用頻度差情報を参照し、流行機能設定に決定された機能設定の利用頻度が他の機能設定の利用頻度よりも低い場合に、流行機能設定に決定された機能設定を推奨する推奨情報を生成する。
【００４１】
図７に示した例では、流行機能設定が「解像度：１９４４×２５９２」であるのに対し、図２に示した例では、最も累積利用回数が高い「解像度：４８０×８５４」に比べて、流行機能設定である「解像度：１９４４×２５９２」の累積利用回数は「０」となっている。したがって、推奨情報生成部３０５は、「解像度：１９４４×２５９２」を推奨する旨の推奨情報を生成して端末ＩＤと共に推奨情報送信部３０６に出力する。推奨情報送信部３０６は、受け取った推奨情報を端末ＩＤで特定される携帯端末２１に向けて送信する。
【００４２】
続いて、図８に示すシーケンス図を参照しながら、上述した構成を有する推奨情報通知システム２の動作について説明する。
【００４３】
図８に示すように、推奨情報通知システム２では、まず、携帯端末２１側で利用頻度情報の生成処理が行われる。すなわち、携帯端末２１において機能の実行がなされると（ステップＳ２１）、機能実行時に用いられた機能設定がカウントされ、利用頻度情報が生成される（ステップＳ２２）。その後、生成された利用頻度情報が情報処理サーバに向けて送信される（ステップＳ２３）。ステップＳ２１〜ステップＳ２３の処理は、複数の携帯端末２１Ａ，２１Ｂ，２１Ｃ…において、機能の実行毎に随時行われる。
【００４４】
情報処理サーバ３１側では、受信した利用頻度情報の格納が行われ、各機能設定の累積利用回数及び利用ユーザ数が算出される（ステップＳ２４）。次に、算出した各機能設定の累積利用回数及び利用ユーザ数に基づいて、流行機能設定の決定がなされる（ステップＳ２５）。そして、携帯端末２１から受信した利用頻度情報が参照され、流行機能設定に決定された機能設定の利用頻度と他の機能設定の利用頻度とが比較される（ステップＳ２６）。
【００４５】
そして、流行機能設定に決定された機能設定の利用頻度が他の機能設定の利用頻度よりも低い場合に、流行機能設定に決定された機能設定を推奨する推奨情報が生成される（ステップＳ２７）。生成された推奨情報は、端末ＩＤに基づいて携帯端末２１側に送信される（ステップＳ２８）。推奨情報を受信した携帯端末２１では、表示部２０６への推奨情報の表示が行われる（ステップＳ２９）。
【００４６】
以上説明したように、推奨情報通知システム２では、複数の機能設定を選択可能な機能を搭載する携帯端末２１において生成された機能設定の利用頻度情報に基づいて、各機能設定の中から利用頻度が低い機能設定を推奨する推奨情報を情報処理サーバ３１側で生成し、これを携帯端末２１に送信して表示部２０６に表示させるようになっている。これにより、ユーザが携帯端末２１の機能のうち、ある特定の機能設定しか利用していない場合に、利用頻度が低い機能設定の存在をユーザに気づかせることが可能となるので、携帯端末２１の機能が活かされる機会が増加し、携帯端末２１の有用性の向上を図ることができる。
【００４７】
また、この推奨情報通知システム２では、複数の携帯端末２１から受信した利用頻度情報に基づいて、複数の携帯端末の間で流行している流行機能設定を決定し、流行機能設定に決定された機能設定の利用頻度が他の機能設定の利用頻度よりも低い場合に流行機能設定に決定された機能設定を推奨する推奨情報を生成している。これにより、複数のユーザの間で頻繁に利用されている機能設定の存在をユーザに気づかせることが可能となるので、携帯端末２１の有用性の更なる向上を図ることができる。
【符号の説明】
【００４８】
１、２１（２１Ａ，２１Ｂ，２１Ｃ…）…携帯端末、２…推奨情報通知システム、１０２，２０２…利用頻度情報生成部、１０４…利用頻度差判断部、１０５，３０５…推奨情報生成部、１０６，２０５…表示制御部、１０７，２０６…表示部、３０１…利用頻度情報受信部、３０３…流行機能設定決定部、３０４…利用頻度比較部。
【図１】
2010239368.tif 000003
【図２】
2010239368.tif 000004
【図３】
2010239368.tif 000005
【図４】
2010239368.tif 000006
【図５】
2010239368.tif 000007
【図６】
2010239368.tif 000008
【図７】
2010239368.tif 000009
【図８】
2010239368.tif 000010